(57)【要約】【課題】安価で単純な構造で、転倒時に水が漏れるのを防ぐことができる貯水装置を提供する。【解決手段】ケース本体２と、このケース本体２に設けられる貯水部６と、この貯水部６の上部開口７を着脱可能に覆う蓋体８とを有する。蓋体８が、内壁１０と、外壁１１と、これらを接続する周壁１２と、それら内壁１０，外壁１１及び周壁１２の間の空洞９とを有し、内壁１０に第一貫通孔１３が設けられ、外壁１１に第二貫通孔１４が設けられると共に、第一貫通孔１３と第二貫通孔１４とが、水平方向に位置をずらして設けられるものであるから、貯水部６に水が溜まった状態で転倒したとしても、蓋体８の外壁１１と内壁１０との間に水を貯めることで、止水弁を設けることなく、蓋体８の外に水がこぼれるのを抑制することができる。【選択図】図４
2020048967.tif 000002
【特許請求の範囲】
【請求項１】
本体と、この本体に設けられる貯水部と、この貯水部の上部開口を着脱可能に覆う蓋体とを有する貯水装置において、
前記蓋体が、内壁と、外壁と、これらを接続する周壁と、それら内壁，外壁及び周壁の間の空洞とを有し、
前記内壁に第一貫通孔が設けられ、前記外壁に第二貫通孔が設けられると共に、前記第一貫通孔と第二貫通孔とが、水平方向に位置をずらして設けられることを特徴とする貯水装置。
【請求項２】
前記本体は転倒方向が制限された形状を有し、前記第一貫通孔と第二貫通孔とが、前記制限された転倒方向に位置をずらして設けられることを特徴とする請求項１記載の貯水装置。
【請求項３】
前記本体の底面が実質的に長方形であり、前記制限された転倒方向の一つが前記底面の長辺と交差する方向であることを特徴とする請求項２記載の貯水装置。
【請求項４】
前記第一貫通孔が、前記蓋体の中央よりも、前記底面の一方の長辺寄りに設けられると共に、
前記第二貫通孔が、前記蓋体の中央よりも、前記底面の他方の長辺寄りに設けられることを特徴とする請求項３記載の貯水装置。
【請求項５】
前記本体の底面が実質的に正方形であり、前記転倒方向が前記底面の対向する辺と交差する方向であることを特徴とする請求項２記載の貯水装置。
【請求項６】
前記第一貫通孔が、前記蓋体の中央よりも、前記底面の直交する二本の辺寄りに設けられると共に、
前記第二貫通孔が、前記蓋体の中央よりも、前記底面の直交する他の二本の辺寄りに設けられることを特徴とする請求項５記載の貯水装置。
【請求項７】
転倒状態で下側になる前記周壁の内面と前記第二貫通孔との間に間隔が設けられることを特徴とする請求項２記載の貯水装置。
【発明の詳細な説明】
【技術分野】
【０００１】
本発明は、コーヒーメーカー等、内部に水を溜めておく貯水部を有する貯水装置に関するものである。
【背景技術】
【０００２】
従来、この種の貯水装置としては、水タンクと、この水タンクの上方を覆う蓋体とを有する貯水装置としての飲料抽出装置が知られている（例えば、特許文献１参照。）。また、貯水部としての内容器と、この内容器の上部開口を覆う蓋体とを有し、この蓋体内に、球状体が移動して蒸気筒部の端縁に当接することで止水される止水弁が設けられた、貯水装置としての液体供給容器も知られている（例えば、特許文献２参照）。
【先行技術文献】
【特許文献】
【０００３】
【特許文献１】特開２００８−２７９１９２号公報
【特許文献２】特開２００７−２１５８８０号公報
【発明の概要】
【発明が解決しようとする課題】
【０００４】
しかしながら、特許文献１のような貯水装置は、蓋体に止水構造がないので、誤って倒してしまった場合、水タンク内の水がこぼれてしまうという問題があった。一方、特許文献２のような貯水装置は、部品数が多く構造が複雑になり、コストが高いという問題があった。特に、貯水容量が小さい貯水装置の場合、通常、蓋体の大きさも小さいが、このような小さな蓋体内に前述のような止水弁を設けるためのスペースがとれないという問題もあった。また、蓋体の開閉に伴って、球状体が移動することに伴う音がするという問題もあった。
【０００５】
本発明は以上の問題点を解決し、安価で単純な構造で、転倒時に水が漏れるのを防ぐことができる貯水装置を提供することを目的とする。
【課題を解決するための手段】
【０００６】
本発明の請求項１に記載の貯水装置は、本体と、この本体に設けられる貯水部と、この貯水部の上部開口を着脱可能に覆う蓋体とを有する貯水装置において、前記蓋体が、内壁と、外壁と、これらを接続する周壁と、それら内壁，外壁及び周壁の間の空洞とを有し、前記内壁に第一貫通孔が設けられ、前記外壁に第二貫通孔が設けられると共に、前記第一貫通孔と第二貫通孔とが、水平方向に位置をずらして設けられるものである。
【０００７】
また、本発明の請求項２に記載の貯水装置は、請求項１において、前記本体は転倒方向が制限された形状を有し、前記第一貫通孔と第二貫通孔とが、前記制限された転倒方向に位置をずらして設けられるものである。
【０００８】
また、本発明の請求項３に記載の貯水装置は、請求項２において、前記本体の底面が実質的に長方形であり、前記制限された転倒方向の一つが前記底面の長辺と交差する方向となるものである。
【０００９】
また、本発明の請求項４に記載の貯水装置は、請求項３において、前記第一貫通孔が、前記蓋体の中央よりも、前記底面の一方の長辺寄りに設けられると共に、前記第二貫通孔が、前記蓋体の中央よりも、前記底面の他方の長辺寄りに設けられるものである。
【００１０】
また、本発明の請求項５に記載の貯水装置は、請求項２において、前記本体の底面が実質的に正方形であり、前記転倒方向が前記底面の対向する辺と交差する方向となるものである。
【００１１】
また、本発明の請求項６に記載の貯水装置は、請求項５において、前記第一貫通孔が、前記蓋体の中央よりも、前記底面の直交する二本の辺寄りに設けられると共に、前記第二貫通孔が、前記蓋体の中央よりも、前記底面の直交する他の二本の辺寄りに設けられるものである。
【００１２】
更に、本発明の請求項７に記載の貯水装置は、請求項２において、転倒状態で下側になる前記周壁の内面と前記第二貫通孔との間に間隔が設けられるものである。
【発明の効果】
【００１３】
本発明の請求項１に記載の貯水装置は、以上のように構成することにより、前記貯水部に水が溜まった状態で前記貯水装置が転倒したとしても、止水弁を設けることなく、前記蓋体の外に水がこぼれるのを抑制することができる。
【００１４】
なお、前記本体は転倒方向が制限された形状を有し、前記第一貫通孔と第二貫通孔とが、前記転倒方向に位置をずらして設けられることで、前記貯水部に水が貯められた状態で前記貯水装置が転倒したとしても、前記蓋体の外壁と内壁との間に水を貯めたり、転倒状態で第一貫通孔が上側に位置する場合に前記第一貫通孔から水が溢れないようにしたりすることで、止水弁を設けることなく、前記蓋体の外に水がこぼれるのを抑制することができる。
【００１５】
また、前記本体の底面が実質的に長方形であり、前記第一貫通孔と第二貫通孔とが、長辺と交差する方向に位置をずらして設けられることで、倒れやすい方向である長辺と直交する転倒方向に貯水装置が倒れたとしても、前記蓋体の外壁と内壁との間に水を貯めたり、転倒状態で第一貫通孔が上側に位置する場合に前記第一貫通孔から水が溢れないようにしたりすることで、前記蓋体の外に水がこぼれるのを抑制することができる。
【００１６】
また、前記第一貫通孔が、前記蓋体の中央よりも、前記底面の一方の長辺寄りに設けられると共に、前記第二貫通孔が、前記蓋体の中央よりも、前記底面の他方の長辺寄りに設けられることで、前記蓋体の外に水がこぼれるのをより確実に抑制することができる。
【００１７】
また、前記本体の底面が実質的に正方形であり、前記第一貫通孔と第二貫通孔とが、前記底面の対向する辺と交差する方向である前記転倒方向に位置をずらして設けられることで、どの辺を下にして前記貯水装置が転倒したとしても、前記蓋体の外壁と内壁との間に水を貯めたり、転倒状態で第一貫通孔が上側に位置する場合に前記第一貫通孔から水が溢れないようにしたりすることで、前記蓋体の外に水がこぼれるのを抑制することができる。
【００１８】
また、前記第一貫通孔が、前記蓋体の中央よりも、前記底面の直交する二本の辺寄りに設けられると共に、前記第二貫通孔が、前記蓋体の中央よりも、前記底面の直交する他の二本の辺寄りに設けられることで、どの辺を下にして前記貯水装置が転倒したとしても、前記蓋体の外に水がこぼれるのをより確実に抑制することができる。
【００１９】
更に、転倒状態で下側になる前記周壁の内面と前記第二貫通孔との間に間隔が設けられることで、前記第二貫通孔側が下になるように前記貯水装置が転倒したとしても、前記蓋体の外壁と内壁との間において、前記周壁から前記第二貫通孔までの間隔分、水を貯めることができるので、前記蓋体の外に水がこぼれるのを確実に抑制することができる。
【図面の簡単な説明】
【００２０】
【図１】本発明の実施例１を示す蓋体を外した状態の全体斜視図である。
【図２】同、全体斜視図である。
【図３】同、全体平面図である。
【図４】同、右側に倒れた転倒状態の断面図である。
【図５】同、左側に倒れた転倒状態の断面図である。
【図６】同、蓋体の平面図である。
【図７】同、蓋体の底面図である。
【図８】同、蓋体と貯水部の上部の短手方向の断面図である。
【図９】同、蓋体の長手方向の断面図である。
【図１０】同、蓋体の側面図である。
【図１１】同、蓋体の要部の拡大断面図である。
【図１２】同、全体底面図である。
【図１３】本発明の実施例２を示す全体平面図である。
【図１４】本発明の実施例３を示す全体平面図である。
【発明を実施するための形態】
【００２１】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２２】
以下、本発明の実施例について、図１乃至図１２に基づいて説明する。１は、電動ミル付きの貯水装置たるコーヒーメーカーであって、このコーヒーメーカー１は飲料抽出装置である。前記コーヒーメーカー１の本体たるケース本体２は、後側の立設部３と、この立設部３の下部と一体的に設けられた基部４と、前記立設部３の上部と一体的に設けられた前側の庇部５とを備える。そして、これら立設部３と基部４と庇部５は、それぞれ合成樹脂からなる。また、前記基部４の前部は、載置部４Ａとなる。
【００２３】
前記ケース本体２の立設部３には、合成樹脂製の貯水部６が内蔵される。この貯水部６は、前記ケース本体２の左右一側である右側に設けられ、有底箱型をなし、前記貯水部６の上部開口７を蓋体８が着脱可能に覆う。
【００２４】
図６，図７及び図８などに示すように、前記蓋体８は、合成樹脂製であって、平面視で、前記ケース本体２の前後方向に長い長方形状をなす。そして、前記蓋体８は、内部に空洞９を有し、合成樹脂製からなる下蓋たる内壁１０と、上蓋たる外壁１１と、これら内壁１０及び外壁１１を接続する周壁１２とを備える。なお、前記内壁１０と周壁１２とは一体に形成される。また、前記内壁１０と外壁１１は、上下に間隔を置いて配置される。
【００２５】
また、前記内壁１０の前後方向中央で左右方向一側に、第一貫通孔１３が穿設される。一方、前記外壁１１の前後方向中央で左右方向他側に、第二貫通孔１４が穿設される。これらの貫通孔１３，１４は、前記貯水部６で発生した蒸気を外部に逃がすための蒸気孔であり、水平方向にずらして設けられる。また、図１１などに示すように、前記第一貫通孔１３は、前記蓋体８の内部から外部に向かって直径が拡大するように形成され、該第一貫通孔１３の内面は中央側に凸状に湾曲してラッパ状をなす。
【００２６】
前記貯水部６の底部には、図４及び図５に示すように、前記貯水部６内の水を加熱する加熱手段１５が設けられる。この加熱手段１５が、前記貯水部６の後述する底面部３１となる。また、前記ケース本体２には、前記加熱手段１５により加熱して得られた湯を、抽出具としてのドリッパー１６に送る送湯手段１７が設けられる。なお、前記加熱手段１５としては、電気ヒーター等が例示され、前記送湯手段１７としては、ポンプ等が例示される。
【００２７】
また、前記ドリッパー１６は、前記庇部５の下方に配置される。そして、前記ドリッパー１６内には、抽出具としてのペーパーフィルター（図示せず）が、交換可能に配置される。
【００２８】
前記載置部４Ａは、上方が開口すると共に、この開口を塞ぐように、略平面状の加熱板（図示せず）が設けられる。そして、この加熱板の下面には、ヒーター（図示せず）が熱的に接して設けられる。
【００２９】
前記立設部３の前方には、前記載置部４Ａの加熱板の上方に、上からミル１９と、湯供給部（図示せず）と、抽出部たる前記ドリッパー１６と、飲料サーバー１８とが配置される。また、前記ミル１９は、前記ケース本体２の上面２０の前側、即ち前記庇部５の上面２０に着脱可能に取り付けられる。
【００３０】
図１２に示すように、前記ケース本体２の底面２１は実質的に長方形である。即ち、前記底面２１は、左右に前後方向の長辺２２，２２を有すると共に、前後に左右方向の短辺２３，２３を有し、これらの長辺２２と短辺２３が直交する四方の角部２４を湾曲状に形成することにより、実質的に長方形である。なお、前記長辺２２，２２同士は平行であり、前記短辺２３，２３同士は平行である。
【００３１】
前記ケース本体２の左，右側部たる左，右側面部２５Ｌ，２５Ｒは、左右の前記長辺２２，２２からそれぞれ略垂直に立ち上がる。一方、前記ケース本体２の後部たる後面部２６は、後の前記短辺２３から略垂直に立ち上がる。また、前記ケース本体２の前部２７には、載置部前面部２７Ｓと、庇部前面部２７Ｈとが設けられる。なお、前記載置部前面部２７Ｓは、前記庇部前面部２７Ｈより前側に位置する。
【００３２】
また、前記載置部前面部２７Ｓの上部には、斜め前面部２８が設けられる。この斜め前面部２８には、前記コーヒーメーカー１を使用する際に操作されるスイッチ２９が複数配置される。このスイッチ２９の先端は、図１２に示すように、前記載置部前面部２７Ｓより前側に位置する。
【００３３】
また、前記ミル１９の操作部である回転式のダイヤル１９Ａが、前記庇部前面部２７Ｈより前側に突設される。また、前記載置部４Ａの右側面部２５Ｒには、電源のオン・オフを操作する電源スイッチ３０が配置され、家庭用電源によりコーヒーメーカー１が駆動する。
【００３４】
図３に示すように、前記貯水部６は、平面視において前記ケース本体２の前後方向に長い略長孔形状を有し、有底筒型をなす。また、前記貯水部６の底面部３１は、前記加熱手段１５である。更に、前記底面部３１の中央には、送液路の一部を構成する金属製のパイプ３２が下向きに突設される。このパイプ３２は、前記貯水部６の内部と連通する。また、前記パイプ３２と前記送湯手段１７とが管路（図示せず）により接続される。このように、前記貯水部６の下部を前記送湯手段１７と前記管路により気密に接続することにより、通常の使用時に前記送湯手段１７側から前記貯水部６内に水や空気が侵入することがない。
【００３５】
また、前記貯水部６の底面部３１の周囲と前記上部開口７との間には、側面部３３が設けられる。そして、前記貯水部６の上部開口７は、平面視で前後方向に長い長方形状をなす。前記側面部３３の上端側には、上側上向き段部３４が設けられる。そして、この上側上向き段部３４の下方には、前記側面部３３の一部を構成する側面上部３３Ａが設けられる。また、この側面上部３３Ａの下方には、下側上向き段部３５が形成される。前記側面部３３、側面上部３３Ａ及び下側上向き段部３５は、平面視で前後方向に長い長円筒状をなし、僅かに上方に向かって拡大する。
【００３６】
前記コーヒーメーカー１が起立した状態（使用状態）において、前記貯水部６の基準満水位は、前記底面部３１を基準として、前記下側上向き段部３５までの高さの約３／４である。この高さは、前記コーヒーメーカー１が１回で抽出可能なコーヒー液の量に対応する。例えば、このコーヒーメーカー１では、１杯が１５０ｃｃのコーヒー液を３杯分だけ１回に抽出可能であるから、４５０ｃｃの水を入れると、水面は、前記下側上向き段部３５までの高さの約３／４の位置となる。
【００３７】
前記上部開口７には、前記蓋体８が着脱可能に設けられる。この蓋体８は、本例では、前述したように、前記内壁１０と前記周壁１２とが一体である。即ち、前記内壁１０の周囲に前記周壁１２が上方に向かって突設される。この周壁１２は、周方向に連続して形成される。なお、前記蓋体８には、前記内壁１０と外壁１１と周壁１２とで囲まれて、前記空洞９が設けられる。また、前記内壁１０及び周壁１２は、平面視で略長円形状をなす。そして、前記周壁１２の上部が開口し、この周壁１２の上端外側に、外鍔部１２Ａが周設される。この外鍔部１２Ａは、略長方形状に形成される。なお、図６において、符号８Ｃは前記蓋体８の中心である。
【００３８】
前記外壁１１は、略長方形状をなす板状の外壁本体４１の周囲に、下向きに嵌合縁部４２を突設して形成される。図８に示すように、固定状態で、前記嵌合縁部４２が前記外鍔部１２Ａの周囲に外嵌すると共に、前記外壁本体４１の下面が前記周壁１２の上縁に当接する。この状態で、前記嵌合縁部４２と外鍔部１２Ａの間において水密性が得られ、前記外壁１１と周壁１２の組立箇所から外部に水が漏れることがないように構成される。
【００３９】
また、前記内壁１０と外壁１１を固定するために、図８に示すように、前記内壁１０の上面に受けボス部４３が複数突設されると共に、この受けボス部４３に対応して、前記外壁１１の下面に挿入ボス部４４が突設される。この挿入ボス部４４の先端を前記受けボス部４３内に挿入した状態で、前記内壁１０の下面側から固定手段たるビス４５（図７）を挿入ボス部４４に挿入し、そのビス４５を前記受けボス部４３に螺合させることにより、前記内壁１０と外壁１１とが一体化される。
【００４０】
図１１に示すように、前記内壁１０の下面には、前記周壁１２と相似形でこの周壁１２より小さい取付筒部４６が下方に突設される。この取付筒部４６の外周の高さ方向中央には、取付鍔部４７が周設される。そして、前記取付筒部４６と取付鍔部４７により、取付受部４８が構成される。
【００４１】
前記取付受部４８には、止水部材たる止水パッキン５１が着脱自在に取り付けられる。この止水パッキン５１は、リング状のシール部材であり、例えばシリコーンゴム等の耐熱性を有するゴムやエラストマーなどの弾性部材からなる。
【００４２】
前記止水パッキン５１は、前記取付鍔部４７に外嵌する断面略コ字形の取付部５２と、この取付部５２の下部に設けられた筒部５３と、この筒部５３の下端に周設した鍔部５４と、この鍔部５４の外端から下方に垂設した垂設部５５と、この垂設部５５の下端から中央下向きに斜めに形成された舌片部５６とを一体に備える。また、図１１に示すように、前記取付部５２の下面と鍔部５４の上面との間には隙間５７が設けられ、この隙間５７により、前記鍔部５４の変形が容易となる。
【００４３】
そして、前記取付部５２の上部５２Ａは、前記内壁１０の下面と前記取付鍔部４７の上面との間に嵌入し、前記筒部５３は、前記取付筒部４６の外周に圧接する。また、前記舌片部５６の下端は自由端になっている。なお、前記取付部５２と垂設部５５の外径は略同一である。
【００４４】
前記蓋体８は、この蓋体８を前記上部開口７に固定及び固定解除可能な固定手段６１を備える。この固定手段６１は、一対の凹部６２，６２と、一対の操作用スライド部材６３，６３と、付勢手段たるコイルスプリング６４を有する。前記凹部６２，６２は、前記外壁１１の前後に形成される。また、前記操作用スライド部材６３，６３は、前記蓋体８内において前後方向にスライド可能に設けられる。更に、前記コイルスプリング６４は、前記スライド部材６３，６３の間に、これらを離れる方向に付勢するように設けられる。なお、前記スライド部材６３，６３同士は、前記蓋体８に設けられたストッパ（図示せず）により、所定の間隔で保持される。また、前記操作用スライド部材６３は、前記凹部６２内に露出する指当て部６３Ａを一体に有する。
【００４５】
また、前記蓋体８の周壁１２の長手方向両側には、横方向の長孔３６が穿設される。そして、この長孔３６に、板状の係止部材６６の先端６７が出没自在に設けられる。なお、前記係止部材６６は、前記スライド部材６３と一体に形成される。そして、前記スライド部材６３，６３同士を近付けるように前記蓋体８の中央側に移動させることにより、対をなす前記係止部材６６，６６が移動して、それらの先端６７，６７が前記蓋体８内に没するように構成される。また、前記係止部材６６の先端６７は、図７に示すように、平面視で円弧状に形成される。そして、前記係止部材６６の先端６７の下部には、下側から上側に向かって外向き傾斜した傾斜案内面６８が形成される。
【００４６】
図１に示すように、前記側面上部３３Ａには、前記蓋体８の前記係止部材６６，６６が係脱可能な係止凹部３７，３７が横設される。そして、この係止凹部３７の上部で、前記上側上向き段部３４の角部に、斜めに形成された傾斜案内受け面３８，３８が前記傾斜案内面６８，６８に対応して設けられる。なお、前記傾斜案内受け面３８は、前記貯水部６の外側から中央側に向かって低くなるように斜めに形成される。
【００４７】
従って、上方から前記貯水部６の上部開口７に前記蓋体８を嵌め入れると、前記傾斜案内受け面３８，３８に前記傾斜案内面６８，６８が当接する。ここから前記蓋体８を押し下げると、前記コイルスプリング６４の付勢力に抗して、前記係止部材６６が前記蓋体８の中央側に移動する。この後、前記係止部材６６の先端６７が前記係止凹部３７の位置に来ると、前記コイルスプリング６４の付勢により、前記係止部材６６の先端６７が前記係止凹部３７に係入し、この状態で前記蓋体８が前記上部開口７に固定される。この状態において、前記ケース本体２の上面２０と前記蓋体８の上面が面一となる。なお、前記蓋体８は、左右を反転しても、前記上部開口７に固定することができる。
【００４８】
前記蓋体８を上部開口７に固定すると、前記外壁１１の嵌合縁部４２が前記上部開口７に嵌ると共に、前記上側上向き段部３４に載置される。この状態で、前記舌片部５６が上方に弾性変形して前記下側上向き段部３５に圧接する。これによって、前記上部開口７が水密状態で塞がれる。
【００４９】
一方、固定された前記蓋体８を外す場合は、対をなす前記スライド部材６３，６３の間隔を狭めるように、対をなす前記指当て部６３Ａ，６３Ａを摘まんで持つ。これにより、前記係止部材６６，６６の先端６７，６７が前記係止凹部３７，３７から外れ、そのまま持って取り外すことができる。このように、対をなす前記指当て部６３Ａ，６３Ａは、把持部として使用できる。
【００５０】
また、前記底面２１の前後左右には、合成樹脂製の脚部７１が設けられる。
【００５１】
以下、本発明の特徴構成である前記貫通孔１３，１４などの詳細について、説明する。前記貫通孔１３，１４は、転倒状態で高さ位置が異なるように水平方向にずらして配置され、特に、前記ケース本体２の転倒方向に位置をずらして前記蓋体８に設けられる。具体的に、この例では、前記ケース本体２は、前記底面２１が略長方形の形状をなすため、短手方向Ｓである左右方向が転倒し易い転倒方向である。なお、前記ケース本体２が前後方向に転倒する可能性もあるが、左右方向に比べれば倒れにくい。また、角部２４を下にして前記ケース本体２が転倒する可能性もあるが、この場合、前記ケース本体２は、二次的に左側面部２５Ｌ又は右側面部２５Ｒが下になるように転倒する。即ち、この例では、事実上、転倒方向が左右方向（短手方向Ｓ）又は前後方向（長手方向Ｌ）に制限されており、その中で最も倒れやすい方向が左右方向である。従って、以下の説明で、左右方向を制限された転倒方向の一つとする。そして、前記蓋体８の内壁１０の転倒方向一側に、１個の前記第一貫通孔１３が設けられる。なお、この第一貫通孔１３は、円形の小孔である。
【００５２】
また、前記蓋体８の外壁１１の転倒方向他側に、前記第二貫通孔１４が設けられる。この第二貫通孔１４は、前記蓋体８の長手方向に長い長孔であり、３つの第二貫通孔１４，１４，１４が前記ケース本体２の短手方向Ｓに等間隔に並んで穿設される。なお、この例では、前記蓋体８の長手方向は、前記ケース本体２の長手方向Ｌと同一である。同様に、前記蓋体８の短手方向は、前記ケース本体２の短手方向Ｓと同一である。また、第一貫通孔１３の断面積は、１個の第二貫通孔１４に比べて小さい。
【００５３】
そして、この例では、前記ケース本体２の短手方向Ｓが前記長辺２２と交差する方向であり、前記ケース本体２の長手方向Ｌが前記短辺２３と交差する方向である。言い換えると、前記ケース本体２の短手方向Ｓが前記短辺２３の長さ方向であり、前記ケース本体２の長手方向Ｌが前記長辺２２の長さ方向である。
【００５４】
図４は、前記ケース本体２が転倒方向である短手方向Ｓの一側（右側）に倒れた転倒状態を示し、図５は、前記ケース本体２が転倒方向である短手方向Ｓの他側（左側）に倒れた転倒状態を示す。何れの場合も、前記貯水部６に基準満水位まで水を入れている。なお、転倒状態とは、図４及び図５に示すように、前記ケース本体２が横向きに倒れた状態を言う。また、図中Ｗは水面を示す。なお、短手方向Ｓにおいて前記底面２１が前記上面２０より僅かに大きいので、実際の転倒状態で前記ケース本体２は僅かに斜めになるが、図４及び図５では説明のため、前記底面２１及び上面２０を垂直にして図示する。
【００５５】
前記第一貫通孔１３は、前記蓋体８の中央８Ｃに対して、一方の長辺である右側の長辺２２寄りに設けられ、且つ、右側の周壁１２の内面１２Ｎとの間に間隔Ｋを置いて設けられる。また、前記第二貫通孔１４は、前記蓋体８の中央８Ｃに対して、他方の長辺である左側の長辺２２寄りに設けられ、且つ、左側の周壁１２の内面１２Ｎとの間に間隔Ｋ´を置いて設けられる。更に、前記貯水部６が基準満水状態で、前記ケース本体２が短手方向Ｓの一側（ケース本体２の右側）に倒れた転倒状態（図４）で、水面Ｗの位置より第二貫通孔１４が高い位置に設けられる。
【００５６】
また、前記第一貫通孔１３は、前記貯水部６が基準満水状態で、前記ケース本体２が短手方向Ｓの他側（ケース本体２の左側）に倒れた転倒状態（図５）で、水面Ｗの位置より高い位置に設けられる。
【００５７】
更に、前記第一貫通孔１３の直径は、転倒状態で静置した状態で、前記蓋体８により密閉された前記貯水部６内の水が、その第一貫通孔１３における表面張力により前記第一貫通孔１３から漏れず、且つ空気が流入しない程度の大きさに形成される。なお、前記第一貫通孔１３の直径は、該第一貫通孔１３の前記空洞９側における直径である。この場合、前記パイプ３２側から前記貯水部６内に気体や液体が侵入することがなく、また、前記第一貫通孔１３からも空気が流入しないから、貯水部６の水漏れを防止できる。なお、転倒時に内部の水が波打つなどして前記第一貫通孔１３から水が漏れても、漏れた水を前記蓋体８内の前記空洞９内に溜めておくことができるので、水が前記蓋体８の外部に漏れることを防止できる。
【００５８】
そして、水が零れないようにするには、大気圧を表面張力により支えて、前記貯水部６内に外気を流入させない大きさに第一貫通孔１３を形成すればよい。具体的には、前記内壁１０の下面にビニールテープなどを貼って前記第一貫通孔１３を塞ぎ、また、前記上部開口７を前記蓋体８で塞いだ状態で、図４のようにケース本体２を横に倒し、転倒状態で静置した状態で、前記ビニールテープを外して第一貫通孔１３を開いた状態で、該第一貫通孔１３から水が漏れない大きさに第一貫通孔１３が形成される。
【００５９】
次に、前記コーヒーメーカー１の使用方法の一例について説明する。まず、使用者は、前記貯水部６内に、抽出するコーヒー液の杯数に応じた量の水を入れる。また、前記ミル１９内に、抽出するコーヒー液の杯数に応じた量のコーヒー豆を入れる。そして、前記電源スイッチ３０をオンにし、前記スイッチ２９を操作すると、前記ミル１９によりコーヒー豆が挽かれてコーヒー粉が得られる。このコーヒー粉は、前記ドリッパー１６のペーパーフィルター内に落下供給される。また、前記ミル１９の作動と同時に、前記加熱手段１５への通電を開始する。これによって、前記貯水部６内の水が加熱されて湯となる。
【００６０】
前記ミル１９がコーヒー豆を全て挽き終わったことを検知すると、このミル１９が停止する。前記貯水部６内の水が所定温度の湯になったことを検知すると、前記加熱手段１５へ供給する電力を制御して保温状態とし、前記送湯手段１７が作動して前記ドリッパー１６へ給湯が行われる。これにより、前記ドリッパー１６内のコーヒー粉からコーヒー液が抽出され、前記飲料サーバー１８に貯められる。なお、飲料サーバー１８は、前記載置部４Ａのヒーターにより保温される。
【００６１】
抽出したコーヒー液を飲む際は、使用者は、前記載置部４Ａから前記ドリッパー１６と共に前記飲料サーバー１８を取り外し、この飲料サーバー１８からコーヒー液をカップに移し代えて飲むことができる。
【００６２】
そして、万が一、前記貯水部６に水又はお湯が有る状態で前記ケース本体２が、図４に示す転倒方向である短手方向Ｓの一側（右側）に転倒したとしても、前記第一貫通孔１３における水の表面張力により、水漏れが抑制される。また、仮に前記第一貫通孔１３から水が漏れたとしても、少量であるから、第二貫通孔１４より下の内壁１０と外壁１１との間の空洞９内に溜まり、外部に漏れることがない。そして、この場合、前記蓋体８の第二貫通孔１４が上方に位置するから、前記空洞９内の水が前記第二貫通孔１４から外部に漏れることを効果的に防止することができる。
【００６３】
一方、前記ケース本体２が、図５に示す転倒方向である短手方向Ｓの他側（左側）に転倒したとしても、基準満水状態で、水面Ｗより高い位置に前記第一貫通孔１３が位置するから、水漏れを防止できる。仮に、転倒時に水面Ｗが波打ち、前記第一貫通孔１３から少量の水が漏れても、前記第二貫通孔１４と前記周壁１２の内面１２Ｎとが間隔Ｋ´だけ離れているから、この分だけ前記空洞９に水を溜めて、外部への水漏れを防止できる。
【００６４】
以上のように本実施例は、本体たるケース本体２と、このケース本体２に設けられる貯水部６と、この貯水部６の上部開口７を着脱可能に覆う蓋体８とを有する貯水装置たるコーヒーメーカー１において、前記蓋体８が、内壁１０と、外壁１１と、これらを接続する周壁１２と、それら内壁１０，外壁１１及び周壁１２の間の空洞９とを有し、前記内壁１０に第一貫通孔１３が設けられ、前記外壁１１に第二貫通孔１４が設けられると共に、前記第一貫通孔１３と第二貫通孔１４とが、水平方向に位置をずらして設けられるものであるから、前記貯水部６に水が溜められた状態で前記コーヒーメーカー１が転倒したとしても、前記蓋体８の外壁１１と内壁１０との間の空洞９に水を貯めることで、止水弁を設けることなく、前記蓋体８の外に水がこぼれるのを抑制することができる。
【００６５】
また、本実施例は、前記本体たるケース本体２が、転倒方向が制限された形状を有し、前記第一貫通孔１３と第二貫通孔１４とが、前記転倒方向に位置をずらして設けられるものであるから、前記貯水部６に水が溜められた状態で前記コーヒーメーカー１が転倒したとしても、前記蓋体８の外壁１１と内壁１０との間の空洞９に水を貯めたり、転倒状態で第一貫通孔１３が上側に位置する場合に前記第一貫通孔１３から水が溢れないようにしたりすることで、止水弁を設けることなく、前記蓋体８の外に水がこぼれるのを抑制することができる。
【００６６】
また、本実施例は、前記本体たるケース本体２の底面２１が実質的に長方形であり、前記転倒方向の一つが前記底面２１の長辺２２と交差する方向である短手方向Ｓであり、前記第一貫通孔１３と第二貫通孔１４とが、前記短手方向Ｓに位置をずらして設けられることで、倒れやすい方向である短手方向Ｓにコーヒーメーカー１が倒れたとしても、前記蓋体８の外壁１１と内壁１０との間の空洞９に水を貯めたり、転倒状態で第一貫通孔１３が上側に位置する場合に前記第一貫通孔１３から水が溢れないようにしたりことで、止水弁を設けることなく、前記蓋体８の外に水がこぼれるのを抑制することができる。
【００６７】
また、本実施例は、前記第一貫通孔１３が、前記蓋体８の中央８Ｃよりも、前記底面２１の一方の長辺２２寄りに設けられると共に、前記第二貫通孔１４が、前記蓋体８の中央８Ｃよりも、前記底面２１の他方の長辺２２寄りに設けられるものであるから、前記蓋体８の外に水がこぼれるのをより確実に抑制することができる。
【００６８】
更に、本実施例は、転倒状態で下側になる前記周壁１２の内面１２Ｎと前記第二貫通孔１４との間に間隔Ｋ´が設けられるから、前記第二貫通孔１４側が下になるように前記コーヒーメーカー１が転倒したとしても、前記蓋体８の外壁１１と内壁１０との間において、前記周壁１２から前記第二貫通孔１４までの間隔Ｋ´の分、水を貯めることができるので、前記蓋体８の外に水がこぼれるのを確実に抑制することができる。
【００６９】
以下、実施例上の効果について説明する。前記貯水部６の高さの１／２まで水を入れた状態で、好ましくは前記貯水部６が基準満水状態で、前記ケース本体２が短手方向Ｓの一側（ケース本体２の右側）に倒れたとしても、水面Ｗの位置より第二貫通孔１４が高い位置に設けられるから、水漏れを防止できる。また、前記第一貫通孔１３は、前記貯水部６の高さの１／２まで水を入れた状態で、好ましくは前記貯水部６が基準満水状態で、前記ケース本体２が短手方向他側（ケース本体２の左側）に倒れたとしても（図５）、水面Ｗの位置より高い位置に設けられるから、水漏れを防止できる。
【００７０】
また、前記内壁１０に、１個の第一貫通孔１３を設け、この第一貫通孔１３を、この第一貫通孔１３における表面張力により水が漏れない程度の大きさに形成したから、前記貯水部６の水漏れを防止できる。なお、前記第一貫通孔１３をこの程度の大きさに形成しても、前記貯水部６内で発生した水蒸気は、前記第一貫通孔１３を通過可能である。更に、前記蓋体８は前記長手方向Ｌに長いから、前記短手方向Ｓに長い場合に比べて、図５の状態で、前記蓋体８の前記第二貫通孔１４の下方に溜まる水量が多くなる。
【００７１】
また、前記蓋体８の下部に前記止水パッキン５１を設け、この止水パッキン５１に設けた前記舌片部５６が、前記貯水部６の下側上向き段部３５に圧接するから、前記蓋体８により前記上部開口７を確実に塞ぐことができる。更に、前記止水パッキン５１の前記取付部５２が、前記蓋体８の前記取付鍔部４７に外嵌することにより、前記蓋体８に前記止水パッキン５１を確実に取り付けることができる。
【００７２】
また、前記蓋体８を前記上部開口７に固定及び固定解除可能な前記固定手段６１を備えたから、前記蓋体８の前記上部開口７への着脱を簡便に行うことができる。
【実施例２】
【００７３】
図１３は本発明の実施例２を示し、上記実施例１と同一部分に同一符号を付し、その説明を省略して詳述する。
【００７４】
この例では、実施例１に比べて、第一貫通孔１３を後面部２６寄りに配置すると共に、実施例１に比べて、２つの第二貫通孔１４，１４を前部２７寄りに配置する。これにより、前記第一貫通孔１３は、右側の長辺２２と後側の短辺２３とが交差する角部２４寄りに配置される。また、２つの前記第二貫通孔１４，１４は、前記第一貫通孔１３の位置に比べて、左側の長辺２２と前側の短辺２３とが交差する角部２４寄りに配置される。
【００７５】
そして、前記第一貫通孔１３は、前記蓋体８の中央８Ｃよりも、前記底面２１の直交する二本の辺である右側の長辺２２及び後側の短辺２３寄りに設けられると共に、前記第二貫通孔１４は、前記蓋体８の中央８Ｃよりも、前記底面２１の直交する他の二本の辺である左側の長辺２２及び前側の短辺２３寄りに設けられる。
【００７６】
以上のように本実施例は、前記内壁１０に第一貫通孔１３が設けられ、前記外壁１１に第二貫通孔１４が設けられると共に、前記第一貫通孔１３と第二貫通孔１４とが、水平方向に位置をずらして設けられるものであるから、上記実施例１と同様な作用・効果を奏する。
【実施例３】
【００７７】
図１４は本発明の実施例３を示し、上記各実施例と同一部分に同一符号を付し、その説明を省略して詳述する。
【００７８】
この例のコーヒーメーカー１では、本体たるケース本体２Ａの底面２１が略正方形に形成され、長さの等しい４つの辺７２Ｆ，７２Ｂ，７２Ｒ，７２Ｌを備えると共に、これら隣り合う辺７２Ｆ，７２Ｂ，７２Ｒ，７２Ｌが交差する四方の角部２４Ａ，２４Ｂ，２Ｃ，２４Ｄを、湾曲状に形成する。また、この例では、前記ケース本体２Ａにミルは設けられない。
【００７９】
前後で対向する前後の辺７２Ｆ，７２Ｂの長さと、左右で対向する左右の辺７２Ｒ，７２Ｌの長さが等しく、前記角部２４Ａ，２４Ｂ，２Ｃ，２４Ｄが湾曲状をなす前記底面２１は、実質的に正方形である。そして、前記ケース本体２Ａは、前記角部２４Ａ，２４Ｂ，２Ｃ，２４Ｄを除いた四方に倒れやすい形状を有する。そして、前記対向する前後の辺７２Ｆ，７２Ｂと交差する方向Ｅと、対向する左右の辺７２Ｒ，７２Ｌと交差する方向Ｆとが転倒方向である。
【００８０】
また、前記第一貫通孔１３は、右側の辺７２Ｒと後側の辺７２Ｂとが交差する角部２４Ｂ寄りに配置され、また、前記第一貫通孔１３の位置に比べて、２つの第二貫通孔１４，１４は、左側の辺７２Ｌと前側の辺７２Ｆとが交差する角部２４Ｄ寄りに配置される。
【００８１】
そして、前記ケース本体２Ａが右側に倒れると、前記第二貫通孔１４が前記第一貫通孔１３より高い位置になり、前記ケース本体２Ａが左側に倒れると、前記第一貫通孔１３が前記第二貫通孔１４より高い位置になる。また、前記ケース本体２Ａが後側に倒れると、前記第二貫通孔１４が前記第一貫通孔１３より高い位置になり、前記ケース本体２Ａが前側に倒れると、前記第一貫通孔１３が前記第一貫通孔１３より高い位置になる。即ち、前記ケース本体２Ａが何れの方向に倒れても、水漏れし難い構造となる。
【００８２】
以上のように本実施例は、前記内壁１０に第一貫通孔１３が設けられ、前記外壁１１に第二貫通孔１４が設けられると共に、前記第一貫通孔１３と第二貫通孔１４とが、水平方向に位置をずらして設けられるものであるから、前記貯水部６に水が溜められた状態で前記コーヒーメーカー１が転倒したとしても、前記蓋体８の外壁１１と内壁１０との間の空洞９に水を貯めることで、止水弁を設けることなく、前記蓋体８の外に水がこぼれるのを抑制することができる。
【００８３】
また、前記本体たるケース本体２Ａの底面２１が実質的に正方形であり、前記転倒方向が前記底面２１の対向する辺７２Ｆ，７２Ｂと交差する方向Ｅ、及び対向する辺７２Ｒ，７２Ｌと交差する方向Ｆであるから、どの辺７２Ｆ，７２Ｂ，７２Ｒ，７２Ｌを下にしてコーヒーメーカー１が転倒したとしても、前記蓋体８の外壁１１と内壁１０との間に水を貯めたり、転倒状態で第一貫通孔１３が上側に位置する場合に前記第一貫通孔１３から水が溢れないようにしたりすることで、止水弁を設けることなく、前記蓋体８の外に水がこぼれるのを抑制することができる。
【００８４】
また、前記第一貫通孔１３が、前記蓋体８の中央８Ｃよりも、前記底面２１の直交する二本の辺７２Ｒ，７２Ｂ寄りに設けられると共に、前記第二貫通孔１４が、前記蓋体８の中央８Ｃよりも、前記底面２１の直交する他の二本の辺７２Ｌ，７２Ｆ寄りに設けられるものであるから、どの辺７２Ｆ，７２Ｂ，７２Ｒ，７２Ｌを下にして前記貯水装置たるケース本体２が転倒したとしても、前記蓋体８の外に水がこぼれるのをより確実に抑制することができる。
【００８５】
なお、本発明は以上の実施例に限定されるものではなく、本発明の要旨の範囲内で種々の変実施が可能である。例えば、実施例では、貯水部をケース本体に一体に設けたが、貯水部をケース本体に着脱可能に設けてもよい。また、第一貫通孔は円形に限らず、楕円形など種々の形状でもよい、更に、実施例では第二貫通孔を複数設けたが、第二貫通孔は１個でもよい。また、ケース本体の底面の形状は実施例に限定されず、例えば方形以外の実質的な多角形状や長円形状でもよい。更に、実施例では、第一貫通孔は、ラッパ状のものを示したが、直径が長さ方向全長で同一の孔でもよい。また、請求項２において、実施例１のように本体の底面が実質的に長方形であり、制限された転倒方向が前後方向（長手方向）の場合は、前記制限された転倒方向の一つを短辺と交差する方向とすればよい。
【符号の説明】
【００８６】
１  コーヒーメーカー（貯水装置）
２  ケース本体（本体）
２Ａ  ケース本体（本体）
６  貯水部
７  上部開口
８  蓋体
９  空洞
１０  内壁
１１  外壁
１２  周壁
１２Ｎ  内面
１３  第一貫通孔
１４  第二貫通孔
２０  上面
２１  底面
２２  長辺
２３  短辺
７２Ｆ，７２Ｂ，７２Ｒ，７２Ｌ  辺
Ｓ  短手方向（転倒方向）
Ｅ  方向（転倒方向）
Ｆ  方向（転倒方向）
Ｋ´  間隔
【図１】
2020048967.tif 000003
【図２】
2020048967.tif 000004
【図３】
2020048967.tif 000005
【図４】
2020048967.tif 000006
【図５】
2020048967.tif 000007
【図６】
2020048967.tif 000008
【図７】
2020048967.tif 000009
【図８】
2020048967.tif 000010
【図９】
2020048967.tif 000011
【図１０】
2020048967.tif 000012
【図１１】
2020048967.tif 000013
【図１２】
2020048967.tif 000014
【図１３】
2020048967.tif 000015
【図１４】
2020048967.tif 000016